(57)【要約】【課題】倉庫などの建物を短期間に、低コストで設置する上で有利となり、また、不同沈下が生じた場合であっても簡単に修正する。【解決手段】冷蔵倉庫１０は、マットスラブ３４上で床用鉄骨製梁３２の複数箇所が支持部３６により支持されている。各支持部３６は、マットスラブ３４上に載置される下板３８と、マットスラブ３４上に積み重ねられる複数のスペーサ４０と、複数の雄ねじ部材４２と、複数のスペーサ４０をマットスラブ３４上に固定する上板４４と、上板４４から上方に突設され床用鉄骨製梁３２に当接可能な柱部４６とを含んで構成されている。スペーサ４０は、下板３８上に積み重ねられて複数設けられる。【選択図】図３
2018040210.tif 000002
【特許請求の範囲】
【請求項１】
梁上に組み付けられた床を有する建物をマットスラブ上で支持する建物の支持構造であって、
前記マットスラブ上において前記梁の複数箇所を支持する複数の支持部が設けられ、
前記各支持部は、前記マットスラブ上に積み重ねられる複数のスペーサと、前記複数のスペーサを複数の雄ねじ部材を介して前記マットスラブ上に固定する上板と、前記上板から上方に突設され前記梁に当接可能な柱部とを備える、
ことを特徴とする建物の支持構造。
【請求項２】
前記雄ねじ部材は、その下端が前記マットスラブに埋設して固定されて前記マットスラブから上方に突出され、平面視した場合に、矩形の頂点に位置するように４本配置され、
前記スペーサは、互いに対向する２本の前記雄ねじ部材の間に配置されている、
ことを特徴とする請求項１記載の建物の支持構造。
【請求項３】
前記マットスラブと前記複数のスペーサとの間に介設される下板を備えている、
ことを特徴とする請求項１または２記載の建物の支持構造。
【請求項４】
前記柱部と前記上板とは一体に形成されている、
ことを特徴とする請求項１〜３の何れか１項記載の建物の支持構造。
【請求項５】
マットスラブ上で支持された、梁上に組み付けられた床を有する建物の不同沈下の修正方法であって、
前記マットスラブ上において前記梁の複数箇所を支持する複数の支持部を設け、
前記各支持部を、前記マットスラブ上に積み重ねられる複数のスペーサと、前記複数のスペーサを複数の雄ねじ部材を介して前記マットスラブ上に固定する上板と、前記上板から上方に突設され前記梁に当接可能な柱部とを含んで構成し、
不同沈下が生じた箇所において、前記支持部で支持された前記梁の箇所をジャッキにより上昇させて前記スペーサの数を増減し、増減後前記ジャッキを取り外し、前記支持部で前記梁の箇所を支持するようにした、
ことを特徴とする建物の不同沈下の修正方法。
【請求項６】
前記雄ねじ部材は、その下端が前記マットスラブに埋設して固定されて前記マットスラブから上方に突出し、平面視した場合に、矩形の頂点に位置するように４本配置され、
前記スペーサは、互いに対向する２本の前記雄ねじ部材の間に配置される、
ことを特徴とする請求項５記載の建物の不同沈下の修正方法。
【請求項７】
前記マットスラブと前記複数のスペーサとの間に下板が介設される、
ことを特徴とする請求項５または６記載の建物の不同沈下の修正方法。
【請求項８】
前記柱部と前記上板とは一体に形成されている、
ことを特徴とする請求項５〜７の何れか１項記載の建物の不同沈下の修正方法。
【発明の詳細な説明】
【技術分野】
【０００１】
本発明は建物の支持構造および建物の不同沈下の修正方法に関する。
【背景技術】
【０００２】
近年、物流事情の変化に伴い、要求される容積の仕様に対応した倉庫などの建物を短期間に、低コストで設置することが求められている。
従来、土間コンクリートに、水平応力を受ける鉄骨柱と、鉛直力を受ける支柱とを予め設けておき、工場などの建物を簡単に構築する技術が提案されている（特許文献１参照）。
【先行技術文献】
【特許文献】
【０００３】
【特許文献１】特開２００１−２９５３７８号公報
【発明の概要】
【発明が解決しようとする課題】
【０００４】
しかしながら、このような技術では、建物の容積に対応してその都度、鉄骨柱や支柱の位置を設計する必要があり、建物を短期間に、低コストで設置する上で不利がある。
また、このような技術では、建物に不同沈下が生じた場合、簡単に修正する上で不利がある。
本発明はこのような事情に鑑みなされたものであり、その目的は、倉庫などの建物を短期間に、低コストで設置する上で有利となり、また、不同沈下が生じた場合であっても簡単に修正することができる建物の支持構造および建物の不同沈下の修正方法を提供することにある。
【課題を解決するための手段】
【０００５】
上述の目的を達成するため、請求項１記載の発明は、梁上に組み付けられた床を有する建物をマットスラブ上で支持する建物の支持構造であって、前記マットスラブ上において前記梁の複数箇所を支持する複数の支持部が設けられ、前記各支持部は、前記マットスラブ上に積み重ねられる複数のスペーサと、前記複数のスペーサを複数の雄ねじ部材を介して前記マットスラブ上に固定する上板と、前記上板から上方に突設され前記梁に当接可能な柱部とを備えることを特徴とする。
請求項２記載の発明は、前記雄ねじ部材は、その下端が前記マットスラブに埋設して固定されて前記マットスラブから上方に突出され、平面視した場合に、矩形の頂点に位置するように４本配置され、前記スペーサは、互いに対向する２本の前記雄ねじ部材の間に配置されていることを特徴とする。
請求項３記載の発明は、前記マットスラブと前記複数のスペーサとの間に介設される下板を備えていることを特徴とする。
請求項４記載の発明は、前記柱部と前記上板とは一体に形成されていることを特徴とする。
請求項５記載の発明は、マットスラブ上で支持された、梁上に組み付けられた床を有する建物の不同沈下の修正方法であって、前記マットスラブ上において前記梁の複数箇所を支持する複数の支持部を設け、前記各支持部を、前記マットスラブ上に積み重ねられる複数のスペーサと、前記複数のスペーサを複数の雄ねじ部材を介して前記マットスラブ上に固定する上板と、前記上板から上方に突設され前記梁に当接可能な柱部とを含んで構成し、不同沈下が生じた箇所において、前記支持部で支持された前記梁の箇所をジャッキにより上昇させて前記スペーサの数を増減し、増減後前記ジャッキを取り外し、前記支持部で前記梁の箇所を支持するようにしたことを特徴とする。
請求項６記載の発明は、前記雄ねじ部材は、その下端が前記マットスラブに埋設して固定されて前記マットスラブから上方に突出し、平面視した場合に、矩形の頂点に位置するように４本配置され、前記スペーサは、互いに対向する２本の前記雄ねじ部材の間に配置されることを特徴とする。
請求項７記載の発明は、前記マットスラブと前記複数のスペーサとの間に下板が介設されることを特徴とする。
請求項８記載の発明は、前記柱部と前記上板とは一体に形成されていることを特徴とする。
【発明の効果】
【０００６】
請求項１、５記載の発明によれば、支持部は、マットスラブ上に積み重ねた複数のスペーサを固定する上板と、上板に設けられ床用鉄骨製梁を支持する柱部とを含んで構成されている。
そのため、簡単な構成の複数の支持部により建物を支持することができ、したがって、短期間で低コストで建物の設置を行なうことが可能となる。
また、建物に不同沈下が生じた場合であっても、支持部の周囲に複数のジャッキを配置し、ジャッキを伸長作動させ、スペーサの数を増減することで足り、不同沈下の修正作業を効率的に行う上で有利となる。
請求項２、６記載の発明によれば、スペーサを、互いに対向する２本の雄ねじ部材の間に配置するので、マットスラブ上にスペーサを簡単に配置する上で有利となる。
請求項３、７記載の発明によれば、下板を設けることで建物の荷重をマットスラブ上で分散して受ける上で有利となり、したがってマットスラブの耐久性を高める上で有利となる。
請求項４、８記載の発明によれば、柱部と上板とが一体に形成されているので、取り扱いが便利となり、工期の短縮化、コストダウンを図る上で有利となる。
【図面の簡単な説明】
【０００７】
【図１】実施の形態に係る建物の支持構造が適用された冷蔵倉庫の構成を示す平面図である。
【図２】図１の断面図である。
【図３】支持部の正面図である。
【図４】（Ａ）は下板の平面図、（Ｂ）は上板の平面図である。
【図５】（Ａ）〜（Ｄ）は支持部の施工手順の説明図である。
【図６】（Ａ）は支持部によって冷蔵倉庫の床用鉄骨製梁が支持された状態を示す説明図、（Ｂ）は冷蔵倉庫が不同沈下した状態を示す説明図、（Ｃ）はジャッキを配置した説明図である。
【図７】（Ａ）は相対的に沈下量が大きな箇所をジャッキで上昇させスペーサを追加した状態を示す説明図、（Ｂ）はジャッキを取り除いた状態を示す説明図である。
【図８】（Ａ）は冷蔵倉庫が不同沈下した状態を示す説明図、（Ｂ）はジャッキを配置した説明図である。
【図９】（Ａ）は相対的に沈下量が小さな箇所をジャッキで下降させスペーサを取り除いた状態を示す説明図、（Ｂ）はジャッキを取り除いた状態を示す説明図である。
【発明を実施するための形態】
【０００８】
以下、本実施の形態について図面を参照して説明する。
実施の形態では、建物がマットスラブ上に設けられる冷蔵倉庫である場合について説明する。
図１、図２に示すように、冷蔵倉庫１０は、床１２、正面壁１４、背面壁１６、天井１８、左側壁２０、右側壁２２で区画され屋根２４で覆われ照明器具２６が設けられた冷蔵室２８と、冷蔵室２８を冷却する冷蔵設備３０とを備えている。
床１２は床用鉄骨製梁３２の上に組み付けられている。
床用鉄骨製梁３２は、床１２の間口方向の両端で冷蔵倉庫１０の奥行方向の全長にわたって延在する２つのＨ形鋼３２０２と、それらＨ形鋼３２０２の奥行方向に間隔をおいた複数箇所を連結する複数のＨ形鋼３２０４とを備えている。
２つのＨ形鋼３２０２の両端から鉄骨製柱３２０６が突設され、正面壁１４と背面壁１６と左右の側壁２０、２２はこの鉄骨製柱３２０６に組み付けられている。
また、両側の鉄骨製柱３２０６の上端間に屋根用鉄骨製梁３２０８が設けられ、屋根２４はこの屋根用鉄骨製梁３２０８に組み付けられている。
【０００９】
正面壁１４には、シャッター１４０２により開閉される開口部１４０４が２つ設けられ、開口部１４０４はドックシェルター１４０６により縁取られている。
なお、符号１４０８は、冷蔵室２８内で開口部１４０４を開閉するオーバーヘッドドアを示す。
冷蔵設備３０は、室外に配置される冷凍機３００２と、冷凍機３００２に接続され冷蔵室２８に配置された空気冷却器３００４とを備えている。
床用鉄骨製梁３２の複数箇所は、マットスラブ３４の上で高さ調整可能な支持部３６を介して支持されている。
【００１０】
図３に示すように、各支持部３６は、マットスラブ３４上に載置される下板３８と、マットスラブ３４上に積み重ねられる複数のスペーサ４０と、複数の雄ねじ部材４２と、複数のスペーサ４０をマットスラブ３４上に固定する上板４４と、上板４４から上方に突設され床用鉄骨製梁３２に当接可能な柱部４６とを含んで構成されている。
図４（Ａ）、（Ｂ）に示すように、下板３８と上板４４は同形同大で、本実施の形態では、鋼板で構成されている。
下板３８と上板４４は、均一の厚さを有する長方形の板状を呈し、四隅に雄ねじ部材挿通孔３８０２、４４０２が貫設されている。
下板３８は、省略してもよいが、下板３８を設けることで冷蔵倉庫１０の荷重をマットスラブ３４上で分散して受ける上で有利となり、したがってマットスラブ３４の耐久性を高める上で有利となる。
【００１１】
図３、図５（Ａ）に示すように、雄ねじ部材４２は、その下端がアンカー４２０２を介してマットスラブ３４上に固定され、マットスラブ３４から上方に突出している。雄ねじ部材４２は、雄ねじ部材挿通孔３８０２、４４０２に挿通される外径で形成され、雄ねじ部材４２として長ボルトが使用可能である。
雄ねじ部材４２は、各支持部３６が設けられる箇所において、平面視した場合に、矩形の頂点に位置するように４本配置され、言い換えると、上板４４と下板３８の雄ねじ部材挿通孔３８０２、４４０２に対応した箇所に設けられている。
【００１２】
図３、図５（Ｂ）、（Ｃ）に示すように、スペーサ４０は、下板３８上に積み重ねられて複数設けられる。
スペーサ４０は、マットスラブ３４上において所定の高さに床用鉄骨製梁３２を支持する構造であればよく、例えば、鋼板のような鋼材など従来公知の様々な材料、形状のものが使用可能である。
この場合、その長手方向を水平方向に向けたときに上下に重ねられる形状の形鋼、例えば、Ｈ形鋼や平鋼などを所定の長さに切断して形成された形鋼分割体を用いると、スペーサ４０を簡単に低コストで得る上で有利となる。
【００１３】
図３、図５（Ｄ）に示すように、上板４４は、複数のスペーサ４０を複数の雄ねじ部材４２を介してマットスラブ３４上に固定するものである。
すなわち、図４（Ｂ）、図５（Ｄ）に示すように、上板４４の四隅の雄ねじ部材挿通孔４４０２から上方に突出する雄ねじ部材４２にナット４３が螺合され、上板４４がマットスラブ３４上に締め付けられ、これにより積み重ねられた複数のスペーサ４０がマットスラブ３４上で上板４４と下板３８との間に固定される。
【００１４】
柱部４６は、上板４４と一体に形成されている。
柱部４６として形鋼が使用可能であり、本実施の形態では、柱部４６としてＨ形鋼が用いられている。
図４（Ｂ）に示すように、上板４４には、Ｈ形鋼が溶接されて設けれられている。
なお、柱部４６と上板４４とを別体としてもよいが、本実施の形態のように柱部４６と上板４４とを一体に形成しておくと、マットスラブ３４上への支持部３６の設置を効率よく行なえ、工期の短縮化、コストダウンを図る上で有利となる。
この柱部４６の上端は、床用鉄骨製梁３２に当接し、床用鉄骨製梁３２を支持している。
したがって、冷蔵倉庫１０は、マットスラブ３４上で床用鉄骨製梁３２の複数箇所が支持部３６により支持されている。
【００１５】
次に冷蔵倉庫１０に不同沈下が生じた場合の対応について説明する。
図６に示すように、冷蔵倉庫１０が水平状態を保って支持されている状態から、図６（Ｂ）に示すように不同沈下が生じた場合、沈下量が相対的に大きな箇所において、図６（Ｃ）に示すように、支持部３６の周囲の複数箇所でマットスラブ３４と床用鉄骨製梁３２との間にジャッキ４８を配置する。
次に、各雄ねじ部材４２からナット４３を外してあるいは緩めて、上板４４を上下変位できる状態にする。
次に、図７（Ａ）に示すように、ジャッキ４８を伸長させ床用鉄骨製梁３２を上昇させ、水平状態とする。
次に、積み重ねられたスペーサ４０の最上位のスペーサ４０の上に追加のスペーサ４０を載置する。
次に、図７（Ｂ）に示すように、ジャッキ４８を縮小作動し、ジャッキ４８を取り外す。
次に、各雄ねじ部材４２についてナット４３を締結する。これにより上板４４と下板３８によりマットスラブ３４上にスペーサ４０が積み重ねられた状態で固定される。
このような支持部３６におけるスペーサ４０の数の増減は、単一の支持部３６においてあるいは複数の支持部３６において行なわれる。
【００１６】
なお、上記の不同沈下に対する対応は、沈下量が相対的に大きな沈下した箇所を上昇させることで対処した場合について説明したが、次のように、沈下量が相対的に小さな箇所を下降させることで対処するようにしてもよい。
すなわち、図６（Ａ）に示すように、冷蔵倉庫１０が水平状態を保って支持されている状態から、図８（Ａ）に示すように不同沈下が生じた場合、沈下量が相対的に小さな箇所において、図８（Ｂ）に示すように、支持部３６の周囲の複数箇所でマットスラブ３４と床用鉄骨製梁３２との間にジャッキ４８を配置する。
次に、各雄ねじ部材４２からナット４３を外してあるいは緩めて、上板４４を上下変位できる状態にする。
次に、積み重ねられたスペーサ４０の最上位のスペーサ４０を取り除き、図９（Ａ）に示すように、次にジャッキ４８を縮小させ床用鉄骨製梁３２を下降させ、水平状態とする。
次に、図９（Ｂ）に示すように、ジャッキ４８を縮小作動し、ジャッキ４８を取り外す。
次に、各雄ねじ部材４２についてナット４３を締結する。これにより上板４４と下板３８によりマットスラブ３４上にスペーサ４０が積み重ねられた状態で固定される。
このような支持部３６におけるスペーサ４０の数の増減は、単一の支持部３６においてあるいは複数の支持部３６において行なわれる。
【００１７】
本実施の形態によれば、支持部３６は、マットスラブ３４上に積み重ねた複数のスペーサ４０を固定する上板４４と、上板４４に設けられ床用鉄骨製梁３２を支持する柱部４６とを含んで構成されている。
そのため、簡単な構成の複数の支持部３６により冷蔵倉庫１０を支持することができ、したがって、短期間で低コストで冷蔵倉庫１０の設置を行なうことが可能となる。
また、雄ねじ部材４２は、矩形の頂点に位置するように４本配置されているので、スペーサ４０は、互いに対向する２本の雄ねじ部材４２の間に配置すればよく、マットスラブ３４上にスペーサ４０を簡単に配置する上で有利となる。
また、本実施の形態では、スペーサ４０とマットスラブ３４との間に下板３８を設けたので、建物の荷重をマットスラブ３４上で分散して受ける上で有利となり、したがってマットスラブ３４の耐久性を高める上で有利となる。
また、本実施の形態では、柱部４６と上板４４とが一体に形成されているので、取り扱いが便利となり、工期の短縮化、コストダウンを図る上で有利となる。
また、冷蔵倉庫１０に不同沈下が生じた場合であっても、支持部３６の周囲に複数のジャッキ４８を配置し、ジャッキ４８を伸長作動させ、スペーサ４０の数を増減することで足り、不同沈下の修正作業を効率的に行う上で有利となる。
【００１８】
なお、本実施の形態では、建物が冷蔵倉庫である場合について説明したが、本発明において建物は冷蔵倉庫に限定されず、様々な仕様の建物に広く適用される。
【符号の説明】
【００１９】
１０  冷蔵倉庫
１２  床
２８  冷蔵室
３２  床用鉄骨製梁
３４  マットスラブ
３６  支持部
３８  下板
４０  スペーサ
４２  雄ねじ部材
４４  上板
４６  柱部
４８  ジャッキ
【図１】
2018040210.tif 000003
【図２】
2018040210.tif 000004
【図３】
2018040210.tif 000005
【図４】
2018040210.tif 000006
【図５】
2018040210.tif 000007
【図６】
2018040210.tif 000008
【図７】
2018040210.tif 000009
【図８】
2018040210.tif 000010
【図９】
2018040210.tif 000011